(57)【要約】      （修正有）【課題】携帯電話と磁気カードを組み合わせて使うことができる機能型携帯電話の保護シェルを提供する。【解決手段】ハウジング１を含み、ハウジングには、携帯電話の背面と合わせているカードスロット２を設け、ハウジングは、さらに、磁気カードを固定するための固定スロット３を備える。固定スロットの溝辺に磁気カードの取り出しに役立つ欠口４が設けられ、抗消磁ダイヤフラム９が、欠口部に若しくは固定スロットの底部に設けられているのが好ましい。また、固定スロットには、ＳＩＭカードスロット５が設けられていてもよい。【選択図】図１
0003189199.tif 000002
【実用新案登録請求の範囲】
【請求項１】
機能型携帯電話の保護シェルであって、ハウジングを含み、前記ハウジングには、携帯電話の背面と合わせているカードスロットを設け、磁気カードを固定するための固定スロットを備えることを特徴とする機能型携帯電話の保護シェル。
【請求項２】
前記固定スロットは、前記ハウジングに設けられ、前記カードスロットの一面の他の一面に相対することを特徴とする請求項１に記載の機能型携帯電話の保護シェル。
【請求項３】
前記固定スロットは、前記ハウジングにあるカードスロットの底部に設けられ、前記固定スロットの開口部方向は、前記カードスロットの開口部方向と一致とすることを特徴とする請求項１に記載の機能型携帯電話の保護シェル。
【請求項４】
前記ハウジングの底部は、透明な材料となることができ、該透明な材料の底部には、写真を設置することができ、携帯電話の保護フォトフレームとして使われることを特徴とする請求項１に記載の機能型携帯電話の保護シェル。
【請求項５】
前記ハウジングの底部は、透明な材料となることができ、その透明な材料の底部には、労働許可証若しくは身分IDを識別するカードを設置することを特徴とする請求項１に記載の機能型携帯電話の保護シェル。
【請求項６】
前記固定スロットの溝辺に磁気カードの取り出しに役立つ欠口を設けることを特徴とする請求項３に記載の機能型携帯電話の保護シェル。
【請求項７】
抗消磁ダイヤフラムを含み、前記抗消磁ダイヤフラムは、前記欠口部に若しくは前記固定スロットの底部に設けられることを特徴とする請求項６に記載の機能型携帯電話の保護シェル。
【請求項８】
前記欠口は、前記固定スロットに相対する両溝辺に設けられることを特徴とする請求項７に記載の機能型携帯電話の保護シェル。
【請求項９】
前記固定スロットは、形状が一般的なカードスロットと異形なカードスロットを備え、前記形状が一般的なカードスロットは、前記カードスロットの底部に設けられ、前記異形なカードスロットは、前記形状が一般的なカードスロットの底部に設けられることを特徴とする請求項８に記載の機能型携帯電話の保護シェル。
【請求項１０】
前記固定スロットは、固定SIMカードのSIMカードスロットを設けることを特徴とする請求項８に記載の機能型携帯電話の保護シェル。
【請求項１１】
前記固定スロットは、交通カード、銀行カード、又はアクセス制御カードから選ばれる磁気カードを設置することができることを特徴とする請求項９に記載の機能型携帯電話の保護シェル。
【請求項１２】
前記SIMカードスロットは、Bluetooth登録商標チップ、REIDSIMカード、NFC-SIMカード、リーダチップ又はメモリカードを設置することができることを特徴とする請求項１０に記載の機能型携帯電話の保護シェル。
【請求項１３】
前記固定スロットの底部には、固定SIMカードを取り出す針のための、SIMカードを取り出す針スロットを設けることを特徴とする請求項１０に記載の機能型携帯電話の保護シェル。
【請求項１４】
前記ハウジングには、携帯電話を保護する携帯電話の押しボタンを設置することに役立つ通孔を設けることを特徴とする請求項１３に記載の機能型携帯電話の保護シェル。
【考案の詳細な説明】
【技術分野】
【０００１】
本考案は、携帯電話の保護シェルに関し、特に、多機能型携帯電話の保護シェルに関する。
【背景技術】
【０００２】
モバイルフォンは、一般的に携帯電話と呼ばれ、それは、広い範囲で、便利に使用できる携帯式の電話端末である。携帯電話が毎日使われ、その高い使用率によって、日常の磨耗や損傷のチャンスは、相対的にすべての家庭電気製品と比べて、高くなる。同時に、技術の急速な発展に伴い、携帯電話は、よりスリムで精巧になっており、うっかりして衝突や摩擦が電話に重大な損傷を引き起こす可能性がある。したがって、携帯電話が日常の使用中に損傷をおこすことを防ぐために、より多くの人々は、ドロップ抵抗と防水および耐震電話保護シェルを使用している。携帯電話の保護シェルは、携帯使用中の不可欠な一部となっている。
【０００３】
また、携帯電話と同様に、磁気カードは、現代の日常生活において、頻繁に使われている工具である。その磁気カードは、磁性キャリアを利用して英語とデジタル情報を記録し、ID身分または他の目的を識別するためのカードである。磁気カードは、便利に使用でき、製造する費用が安価で、非常に汎用的で、クレジットカード、銀行カード、地下鉄カード、バスカード、チケットカード、テレフォンカード、電子ゲームカード、チケット、様々な輸送運賃カード等を製造するために使用できる。今まで、磁気カードは、多くの場所で使われ、例えば、食堂で食事をする時、ショッピングモールで買い物する時、バス、地下鉄に乗る時、電話する時、制御エリアに入る時等に、使用可能である。従って、磁気カードは、現代生活に欠かせないものとなっている。
【考案の概要】
【考案が解決しようとする課題】
【０００４】
このように、現代の生活には、多くの場合、携帯電話のシェルを装着している携帯電話と磁気カードを同時に身につけて携帯する。しかしながら、携帯した携帯電話と磁気カードは、使用中に、組み合わせることができず、別々に使われていたため、使用者に面倒なことをもたらす。一方、携帯電話と磁気カードを同時に、使わなければならない時、例えば、携帯電話を使用している際に磁気カードを使用する必要がある時、使用者に不便をもたらす。そのため、当業者は、多機能の機能型携帯電話の保護シェルを開発した。
【課題を解決するための手段】
【０００５】
本考案に関る機能型携帯電話の保護シェルは、携帯電話の保護シェルにカードスロット及び磁気カードを追加して設けることによって、携帯電話と携帯電話のシェルを結合させ、それによって、使用の便利性を高め、人々の生活に一定の便利性をもたらす。
【０００６】
本考案は、機能型携帯電話の保護シェルを提供し、それは、ハウジングを含み、前記ハウジングには、携帯電話の背面と合わせているカードスロットを設け、前記ハウジングには、さらに、磁気カードを固定するための固定スロットを備える。
【０００７】
本考案の一つの好ましい実施例では、前記固定スロットは、前記ハウジングに設けられ、前記カードスロットの反対側の一面に相対する。
【０００８】
本考案の他の一つの好ましい実施例では、前記固定スロットは、前記ハウジングにあるカードスロットの底部に設けられ、前記固定スロットの開口部方向は、前記カードスロットの開口部方向と一致とする。
【０００９】
本考案の他の一つの好ましい実施例では、前記ハウジングの底部は、透明な材料となることができ、その透明な材料の底部には、写真を設置することができ、携帯電話の保護フォトフレームとして使うことができる。
【００１０】
本考案の他の一つの好ましい実施例では、前記ハウジングの底部は、透明な材料となることができ、その透明な材料の底部には、例えば、労働許可証等身分IDを識別するカードを設置する。
【００１１】
本考案の他の一つの好ましい実施例では、前記固定スロットの溝辺に磁気カードの取り出しに役立つ欠口を設ける。
【００１２】
本考案の他の一つの好ましい実施例では、抗消磁ダイヤフラムを含み、前記抗消磁ダイヤフラムは、前記欠口部に若しくは前記固定スロットの底部に設けられる。
【００１３】
本考案の他の一つの好ましい実施例では、前記欠口は、前記固定スロットに相対する両溝辺に設けられる。
【００１４】
本考案の他の一つの好ましい実施例では、前記固定スロットは、形状が一般的なカードスロットと異形なカードスロットを備え、前記形状が一般的なカードスロットは、前記カードスロットの底部に設けられ、前記異形なカードスロットは、前記形状が一般的なカードスロットの底部に設けられる。
【００１５】
本考案の他の一つの好ましい実施例では、前記固定スロットは、固定SIMカードのSIMカードスロットを設ける。
【００１６】
本考案の他の一つの好ましい実施例では、前記固定スロットは、交通カード、銀行カード、アクセス制御カード等の磁気カードを設置することができる。
【００１７】
本考案の他の一つの好ましい実施例では、前記SIMカードスロットは、Bluetooth登録商標チップ、REIDSIMカード、NFC-SIMカード、リーダチップや各種のメモリカードを設置することができる。
【００１８】
本考案の他の一つの好ましい実施例では、前記固定スロットの底部は、固定SIMカードを取り出す針のためのSIMカードを取り出す針スロットを設ける。
【００１９】
本考案の他の一つの好ましい実施例では、前記ハウジングとハウジングを保護する枠には、携帯電話を保護する携帯電話の押しボタンを設置することに役立つ通孔を設ける。
【００２０】
本考案に関わる機能型携帯電話の保護シェルは、携帯電話、携帯電話のシェル、磁気カード、及び抗消磁ダイヤフラム等を全体として組み合わせて使用でき、電話の携帯と同時に、便利に持ち運べる磁気カードとして使用でき、それによって、使用の利便性を高め、保護シェルを装着する携帯電話は、磁気カードと機能を結合して使用可能にする。
【図面の簡単な説明】
【００２１】
【図１】本考案の実施形態の結構を示す図である。
【図２】本考案の他の実施形態の結構を示す図である。
【図３】本考案の実施形態による携帯電話の保護フォトフレームを備える結構を示す図である。
【図４】本考案の実施形態による抗消磁ダイヤフラムの結構を示す図である。
【考案を実施するための形態】
【００２２】
以下、図面に基づき実施例について本考案を詳説する。
図１に示す本考案の実施例の機能型携帯電話の保護シェルは、ハウジング１を含み、前記ハウジング１には、携帯電話の背面と合わせているカードスロット２を設け、前記カードスロット２は、前記ハウジング１が携帯電話の背部にフックするために使われ、それによって、携帯電話の保護シェルを携帯電話に固定させる。前記ハウジング１には、さらに、磁気カードを固定するための固定スロット３を備える。
【００２３】
本考案の実施例は、磁気カードを携帯電話のシェルに固定させる固定スロット３を設け、携帯電話、携帯電話のシェル、磁気カード、及び抗消磁ダイヤフラム等の全体を組み合わせて使用し、それによって、使用の利便性を高めて、携帯電話が磁気カードの使用と機能的に結合することに役立つ。
【００２４】
本考案の実施例に関わる磁気カードを固定するための固定スロット３は、多種の形態を備え、磁気カードを取出す式のバッグ形状となることができ、また、磁気カード辺を固定する嵌合形状にもなりうる。前記固定スロット３は、前記ハウジング１に設けれれ、前記カードスロット２の一面の他の一面に相対して、または、前記ハウジング１にあるカードスロット２の底部に設けられ、前記固定スロット３の開口部方向は、前記カードスロット２の開口部方向と一致とする。
【００２５】
携帯電話と磁気カードとの形状は、長方形の形態であるため、本考案の実施例では、携帯電話殻のハウジング１の断面形状は、長方形となり、カードスロット２と固定スロット３の断面形状は、長方形となる。
【００２６】
図１に示すように、本考案の実施例において、固定スロット３の溝辺は、磁気カードを取出すことに役立つ欠口４を設ける。そして、好ましい欠口４は、固定スロット３の相対する両溝辺に設け、固定スロット３内の磁気カードを取出すことに役立つ。
【００２７】
図４に示すように、本考案の実施例において、抗消磁ダイヤフラム９を含む。好ましい抗消磁ダイヤフラム９には、少なくとも粘性のペースト９１が設けられおり、容易に本実施形態の携帯電話の保護シェルに取り付けることができる。抗消磁ダイヤフラム９のサイズは、携帯電話の保護シェルとマッチングして、抗消磁機能を有する前提で任意規格のサイズに適応させることができ、携帯電話の保護シェルに設置されることに適合する。図１に示すように、好ましい抗消磁ダイヤフラム９は、携帯電話の保護シェルの欠口４に貼って、または、本実施形態の携帯電話の保護シェルに装着された磁気カードに設置し、そして携帯電話の背部と相互に結合させる。それによって、使われた磁気カードが消磁されるリスクを防止することができる。
【００２８】
磁気カードは実際の使用においては異なる形があるため、本考案の実施例において、好ましい固定スロットは、形状が一般的なカードスロットと異形なカードスロットを備える。前記形状が一般的なカードスロットは、普通の形状の磁気カードを固定することに使われ、前記カードスロットの底部に設けられ、前記異形なカードスロットは、前記形状が一般的なカードスロットの底部に設けられ、異形な形状の磁気カードを固定することに使われる。
【００２９】
また、図１に示すように、本考案の実施例において、好ましい固定スロット３の底部は、SIMカードを固定するためのSIMカードスロット５と、固定SIMカードを取り出す針のためのSIMカードを取り出す針スロット６を設ける。SIMカードは、顧客識別モジュール（Subscriber Identity  Module）の頭字語で、スマートカード、ユーザーの身分とも称し、GSM登録商標デジタル携帯電話は、このカードを入れられないならば、使われない。即ちそれは携帯電話の使用に不可欠な部分である。SIMカードを取り出す針は、携帯電話からSIMカードを取り出すためにつかわれる。従って、携帯電話の保護シェルは、SIMカードスロットとSIMカードを取り出す針スロットを設けることで、使用者にとって、SIMカードを携帯し、また交換する等の使用の際に都合がよい。SIMカードとSIMカードを取り出す針は、様々な形状を有するため、本考案の実施例において、好ましいハウジングは、様々な形状のSIMカードスロットを設ける。しかしながら、携帯電話の保護シェルには、設けられたSIMカードとSIMカードを取り出す針の設計は、本考案の応用範囲に含まれる。
【００３０】
図１に示すように、本考案の実施例において、好ましいハウジング１上に設けられたカードスロット２の溝辺に携帯電話の側辺と相互に合わせる保護枠７が設けられており、前記ハウジング１と前記保護枠７には、通孔８が設けられ、それは、携帯電話を保護する携帯電話の機能押しボタンを使用することに役立つ。
【００３１】
本考案の実施例において、本考案の機能型携帯電話の保護シェルは、透明または不透明の保護ケースレザー、ゴム、布、硬質プラスチック、マグネシウム、アルミなどの軽金属や軟質プラスチック等で製造される。
【００３２】
図１に示すように、本考案の実施例において、本考案の機能型携帯電話の保護シェルの使用ステップは：
a. 機能型携帯電話の保護シェルを取出す。
b. SIMカードを取り出す針スロット６にSIMカードを取り出す針を挿す。
c. SIMカードをSIMカードスロット５に挿す。
d. 個人が多く使っている磁気カード（銀聯カード、クレジットカード、アクセス制御カード、交通カード等）を選んで、固定スロット３に挿す。１−２枚のカードを選んでもよいし、或いは、形状が異なる磁気カードを選ぶこともできる。
e. 携帯電話の保護シェルの欠口は、抗消磁ダイヤフラム９を貼り付ける。
f. 携帯電話を保護シェルに嵌入して、機能型携帯電話の保護シェルの便利性操作を完成する。
【００３３】
図３に示すように、本考案に関る機能型携帯電話の保護シェルの底部は、透明材料である場合において、当該機能型携帯電話は、携帯電話の保護シェルのフォトフレーム１０という機能が増え、そして、前記携帯電話の保護シェルのフォトフレーム１０の使用ステップは：
a. 機能型携帯電話の保護シェルを取り出す。
b. SIMカードを取り出す針スロット６にSIMカードを取り出す針を挿す。
c. SIMカードをSIMカードスロット５に挿す。
d. 個人写真を固定スロット３に入れる。他の場合は、図１のステップｄによる手順で操作することができる。
【００３４】
例えば、身分IDカードとして使用する時、PC透明シートを選ぶことができ、図１に示すように、ステップfを、PC透明シートを嵌入することに変更してもよい。仕事が終わると、PC透明シートを取り出し、携帯電話を入れて、機能型携帯電話の保護シェルとしての機能を回復することができる。
【００３５】
便利性にすぐれた機能操作を保持する本考案による機能型携帯電話の保護シェルのカードスロット２を携帯電話の背部と相互に合わせて結合することで、本考案は完成する。
【００３６】
上述した実施形態は、本考案の好ましい実施形態であって、しかしながら、上述した実施形態に限定されるものではなく、その他、要するに本考案の精神から逸脱することなく、本考案に類似の種々実質的な又は原理的な変更、補正、置換、組合、簡素化されたものも、本考案の申請の範疇であるものと見なす。
【符号の説明】
【００３７】
１     ハウジング
２     カードスロット
３     固定スロット
４     欠口
５     SIMカードスロット
６     SIMカードを取り出す針スロット
７     保護枠
８     通孔
９     抗消磁ダイヤフラム
１０   携帯電話の保護シェルのフォトフレーム
９１   粘性のペースト
【図１】
0003189199.tif 000003
【図２】
0003189199.tif 000004
【図３】
0003189199.tif 000005
【図４】
0003189199.tif 000006